(57)【要約】【課題】展示用ダミーを自動販売機等の陳列台に取付けるだけで、支持体の前面の角度を変化できるようにして、ダミーを見やすくする。【解決手段】背壁部から屈曲した左右側壁部を位置設定手段で所定位置に保持して前面開放状態の支持体を形成し、この支持体にダミーを装着しており、前記支持体の前面を支持体取付面に対して所定角度で取付ける姿勢変更手段を有している。【選択図】      図１
2004272809.tif 000002
【特許請求の範囲】
【請求項１】
背壁部から屈曲した左右側壁部を位置設定手段で所定位置に保持して前面開放状態の支持体を形成し、この支持体にダミーを装着しており、
前記支持体の前面を支持体取付面に対して所定角度で取付ける姿勢変更手段を有していることを特徴とする展示用ダミー装置。
【請求項２】
前記支持体の背面部には、載置台の支持体取付面に形成した取付孔に挿入する取付脚部を形成しており、
前記姿勢変更定手段は、前記取付脚部に取付孔に係合する係合部を上下に複数形成したことを特徴とする請求項１に記載の展示用ダミー装置。
【請求項３】
前記支持体は背壁部と左右各側壁部とを屈曲部を介して略同一平面に形成しており、前記位置設定手段は左右側壁部に形成した被係止部と、前記背壁部内に引き起こし可能に形成した起こし部とを有し、この起こし部は前記左右各側壁部を背壁部から屈曲しかつ起こし部を引き起こしたときに前記左右側壁部の被係止部と係止する係止部を有することを特徴とする請求項１又は２に記載の展示用ダミー装置。
【請求項４】
前記支持体の前面は、背面部を垂直にした状態で後傾斜し且つ後傾斜から姿勢変更手段で垂直姿勢まで姿勢変更可能となっており、前記ダミーはシート状のダミーとなっており、左右各側壁部の前縁には、シート状ダミーの左右両端部を係止する係止部を設けていることを特徴とする請求項１〜３のいずれかに記載の展示用ダミー装置。
【発明の詳細な説明】
【０００１】
【発明の属する技術分野】
本発明は、自動販売機等に使用する展示用ダミー装置に関するものである。
【０００２】
【従来の技術】
この種の従来技術においては、特開平７−２１９４４３号公報に開示されているように、ダミーを形成する合成樹脂板が、たばこケースの前面壁を形成する前面シートと、その前面シートの両側に折り目を介して連成する側面シートと、前面シートの上端に折り目を介して連成する上面シートとを有し、前面シートに対して同一方向に折り曲げた両側面シートと上面シートを連結するシート連結手段を備えており、シート連結手段によって前面シートが略垂直姿勢となる箱形状である。
【０００３】
【発明が解決しようとする課題】
従来のダミーは、前面シートが略垂直姿勢であるために、自動販売機等にダミーを展示した展示状態において、例えば、前面シートを垂直状態から若干後ろ向きに傾斜させて前面シートを見やすくするためには（前面シートをやや上向きにする）、ダミーを装着する自動販売機の陳列台の背板を垂直状態からダミーの形態に合わせて後側に傾斜させた状態に加工しなければならず、自動販売機における陳列台の背板姿勢設定作業が非常に手間のかかり面倒であった。
【０００４】
また、背板に装着したそれぞれのダミーの角度を任意に変化することができないので、ダミーの展示位置によってはダミーが見にくい恐れがあった。
そこで、本発明は、上記問題点に鑑み、展示用ダミーを自動販売機等の陳列台に取付けるだけで、支持体の前面の角度を簡単に変化できるようにして、ダミーを見やすくすることができる展示用ダミー装置を提供することを目的とする。
【０００５】
【課題を解決するための手段】
本発明における技術的課題を解決するための第１の具体的手段は、背壁部から屈曲した左右側壁部を位置設定手段で所定位置に保持して前面開放状態の支持体を形成し、この支持体にダミーを装着しており、前記支持体の前面を支持体取付面に対して所定角度で取付ける姿勢変更手段を有していることである。
これによれば、支持体を支持体取付面に取り付けるだけで支持体の前面の角度を簡単に変えることができ、支持体に装着したダミーを見やすくすることが可能になる。
【０００６】
本発明における技術的課題を解決するための第２の具体的手段は、前記支持体の背面部には、載置台の支持体取付面に形成した取付孔に挿入する取付脚部を形成しており、前記姿勢変更定手段は、前記取付脚部に取付孔に係合する係合部を上下に複数形成したことである。
これによれば、背壁部に形成した上下の係合部を取付孔に係合するだけで、支持体の前面の角度を変えることができ、支持体に装着したダミーを見やすくすることが可能になる。
【０００７】
本発明における技術的課題を解決するための第３の具体的手段は、前記支持体は背壁部と左右各側壁部とを屈曲部を介して略同一平面に形成しており、前記位置設定手段は左右側壁部に形成した被係止部と、前記背壁部内に引き起こし可能に形成した起こし部とを有し、この起こし部は前記左右各側壁部を背壁部から屈曲しかつ起こし部を引き起こしたときに前記左右側壁部の被係止部と係止する係止部を有することである。
これによれば、支持体を屈曲させるだけで簡単かつ容易に形成することができ、平板状に展開して運搬、保存ができ、しかも安価で軽量に製作できる。
【０００８】
本発明における技術的課題を解決するための第４の具体的手段は、前記支持体の前面は、背面部を垂直にした状態で後傾斜し且つ後傾斜から姿勢変更手段で垂直姿勢まで姿勢変更可能となっており、前記ダミーはシート状のダミーとなっており、左右各側壁部の前縁には、シート状ダミーの左右両端部を係止する係止部を設けていることである。
これによれば、支持体を支持体取付面に取り付けるだけで支持体の前面の角度を変えることができ、支持体に装着したダミーを見やすくすることが可能になる。
【０００９】
【発明の実施の形態】
以下、本発明の実施の形態を図面に基づいて説明する。
図１〜７は展示用ダミー装置１の第１実施形態を示しており、このダミー装置１は支持体２にシート状ダミーＡを装着するものである。
このダミー装置１に装着されるシート状ダミーＡは、前面部分に販売商品のデザインを施したもので、フイルム又は紙等で両端部を有するシート状に形成されている。
【００１０】
図１〜７において、支持体２は、背壁部３と左右側壁部４Ｌ、４Ｒとを有する３部構成であり、略平坦な合成樹脂板に背壁部３と左右各側壁部４Ｌ、４Ｒとを屈曲部Ｐを介して略同一平面に形成し、背壁部３に対して左右各側壁部４Ｌ、４Ｒを屈曲部Ｐで前側へ略９０度折り曲げて、平面視略コ字形状にしている。
左右各側壁部４Ｌ、４Ｒは、左右各側壁部４Ｌ、４Ｒを背面部３から前方へ引き起こして所定の位置に保持し（支持体組立状態）且つその支持体２の背面部３を垂直にした状態にしたとき、左右各側壁部４Ｌ、４Ｒの前縁で形成されている支持体２の前面が垂直から後傾斜（後倒姿勢）となるように展開平面視で下縁の長さが上縁の長さよりも長くなる略台形に形成されている。
【００１１】
左右各側壁部４Ｌ、４Ｒの前縁は、支持体組立状態において、その左右各側壁部４Ｌ、４Ｒの中途部から支持体２の前方内方に屈曲しており、この前縁の屈曲部は、シート状ダミーＡを支持体２に装着したとき、そのシート状ダミーＡの左右両端部を係止する第１係止部５となる。
左右各側壁部４Ｌ、４Ｒの折り曲げて互いに対向する面の中途部に、略コ字形状又は略Ｕ字形状の被係止部６を形成しており、左右各側壁部４Ｌ、４Ｒの折り曲げて互いに対向する面の上部及び下部には、突起部が形成されている。
【００１２】
左右各側壁部４Ｌ、４Ｒの上部及び下部の突起部は、シート状ダミーＡを支持体２に装着したとき、支持体２に装着されたシート状ダミーＡの上下両端部と当接可能となっており、シート状ダミーＡの上下方向の抜け止めを防止する抜け止め防止部７となっている。
左右各側壁部４Ｌ、４Ｒの折り曲げて互いに対向する面において、被係止部６と下部の抜け止め防止部７との間には、突起部８が形成されている。
この突起部８と被係止部６の前部６ａは、シート状ダミーＡを支持体２に装着したとき、第１係止部５と共にシート状ダミーＡの左右両端部を係止めする第２係止部９となっている。
【００１３】
したがって、第１係止部５と、第２係止部９とによりシート状ダミーＡの左右両端部を前後方向（内外方向）に係止する係止部１０が構成されている。
組み立てた支持体２にシート状ダミーＡを装着するには、例えば、シート状ダミーＡの左側端部を支持体２の前方から左側壁部４Ｌの前縁（第１係合部５）に沿わせながら支持体２内方に挿入して左側壁部４Ｌの第２係止部９（被係止部６の前部６ａ、被係止部６と抜け止め防止部７との間に位置する突起部８）に係止した後、シート状ダミーＡの他方の右側端部を左側端部と同様に右側壁部４Ｒの第２係止部９に係合する。そうすれば、シート状ダミーＡは平面視で湾曲形状に撓み、シート状ダミーＡの湾曲に対する復元力が作用するので、第１係止部５の係止めする方向に付勢力が働き、シート状ダミーＡの左右両端部は第１係止部５に係止（保持）されることとなる。また、この第２係止部９により、シート状ダミーＡは後方向（背面部３側）に位置ずれすることなく係止（保持）される。
【００１４】
背壁部３は、左右側壁部４Ｌ、４Ｒを架橋するのは実質的に上下部分３Ｕ、３Ｄのみであり、中途部は左右側壁部４Ｌ、４Ｒと同様の前側へ引き起こし可能な起こし部１１となっており、切り起こし部１１の上部は、抜き孔１２となっていて、切り起こし部１１の屈曲容易化を図っている。
従って、起こし部１１は、背壁部３の上部分３Ｕと屈曲部Ｐを介して接続されている。屈曲部Ｐは背壁部３と左右側壁部４の境目を薄肉にして形成されている。
【００１５】
起こし部１１は上部背面の左右両端に突起部を有しており、この突起部は左右各側壁部４Ｌ、４Ｒと共に背壁部３から前方へ屈曲して引き起こしたときに、左右側壁部４Ｌ、４Ｒの被係止部６と係止する係止部１３となる。
被係止部６、起こし部１１及び起こし部１１の係止部１３は、背壁部３から屈曲した左右側壁部４Ｌ、４Ｒを所定位置に保持する位置設定手段１４を構成している。
係止部１３は被係止部６に前上方から簡単に挿入されるだけであるが、左右各側壁部４Ｌ、４Ｒに屈曲部Ｐにおいて屈曲に対する復元力が作用しているので、係合する方向に常に付勢力が働き、被係止部６と係止部１３との係合を確保することができる。
【００１６】
ダミー装置１は自動販売機の展示部の載置台等の支持体取付面１５に形成した取付孔１７に挿入固定されるものであり、このダミー装置１には支持体２の前面を支持体取付面１５に対して所定の角度で取付ける姿勢変更手段が設けられている。支持体２の背壁部３の下部及び左右側壁部４の下部には、支持体取付面１５の取付孔１７に取り付けるための取付脚部３ａ、４ａが形成されている。
取付脚部４ａは、前方から後方にかけて次第にその上下幅が大きくなるように板状に形成されており、左右各側壁部４Ｌ、４Ｒの下部に形成された抜け止め防止部７を有する突起部７ａより下方に突出している。
【００１７】
この取付脚部４ａの前部には、左右に突出する突起部４ｂ（スリット）が形成されており、この左右両側壁部４の取付脚部４ａを支持体取付面１５の取付孔１７に挿入すると、このスリット４ｂが支持体取付面１５の裏面（下面）に当接して、不測に抜けないようになっている。
また、背壁部３の取付脚部３ａを支持体取付面１５の取付孔１７に係合していない状態では、即ち、支持体２を載置台１３から動かないように固定していない状態では、このスリット４ｂを支点として支持体２の背壁部３の角度を支持体取付面１５に対して変化させることができるようになっている。
【００１８】
左右各側壁部４Ｌ、４Ｒの下部に形成された突起部７ａの前部は、取付脚部４ａを支持体取付面１５の取付孔１７に挿入したとき、支持体取付面１５に当接するようになっている。
背壁部３の取付脚部３ａは、凸凹状に屈曲形成されて、この取付脚部３ａは前後方向に撓むことができるようになっており、取付脚部３ａの凹部は取付孔１７に係合する係合部１８となっている。
この係合部１８は、上下に複数形成（２個）されており、取付孔１７に対する係合部１８の上下係合位置を変えることによって、支持体取付面１５に対しての支持体２の前面の角度がそれに伴って変化するようになっている。
【００１９】
即ち、上係合部１８ａは、取付孔１７にその上係合部１８ａを係合したとき、支持体２の背壁部３が支持体取付面１５に対して略垂直となるように形成されており、支持体２の背壁部３が垂直な状態では、支持体２の前面は垂直から後方に倒れた後倒姿勢となる。
下係合部１８ｂは、取付孔１７にその下係合部１８ｂを係合したとき、支持体２の背壁部３が垂直状態からやや前方に前傾斜して前倒姿勢となるように形成されており、背壁部３が前倒姿勢であるときは、支持体２の前面は支持体取付面１５に対して略垂直姿勢となっている。
【００２０】
したがって、姿勢変更手段は、背壁部３の取付脚部３ａに、取付孔１７に係合する係合部１８を上下に複数形成することによって構成されており、この姿勢変更手段によって、上記の如く、支持体２の前面は、後傾斜（後倒姿勢）となると共に、後傾斜（後倒姿勢）から垂直姿勢まで姿勢変更可能となっている。
支持体２の前面を後倒姿勢から垂直姿勢にしたとき、左右両側壁部４Ｌ、４Ｒの取付脚部４ａ後部が支持体取付面１５に対して上方に上がる状態になり、支持体２と支持体取付面１５との上下間に隙間ができることになるが、左右両側壁部４Ｌ、４Ｒの取付脚部４ａの後部は前部に対して徐々に上下幅が大きくなるように形成されているので、取付脚部４ａの後部がこの隙間を隠すようになっている。
【００２１】
したがって、このダミー装置１の支持体２の前面を垂直状態にして、支持体２の内部からシート状のダミーＡを照明しても、照明光が左右各側壁部４Ｌ、４Ｒから漏れないようになっている。
なお、図５に示すように、上下係合部１８ａ、１８ｂとスリット４ｂ（取付脚部４ａ）の前縁との互いの距離が略同じになるように、上係合部１８ａよりも下係合部１８ｂの方がやや前方に位置するように形成されており、これにより、下係合部１８ｂが取付孔１７に係合しやすいようになっている。
【００２２】
したがって、係合部１８を上下方向に複数形成する場合、各係合部１８とスリット４ｂの前縁と距離が略同じになるように各係合部１８を形成すれば、各係合部１８を取付孔１７に簡単に係合することが可能となる。
ダミー装置１の支持体２は、図２の展開状態で示すように、背壁部３と左右各側壁部４Ｌ、４Ｒとが略同一平面になるような平板形状に射出成形等で形成されるもので、それには取付脚部３ａ、４ａ、スリット４ｂ、屈曲部Ｐ、被係止部６、起こし部１１、係止部１３が一体的に形成されている。
【００２３】
この支持体２を、背壁部３に対して左右各側壁部４Ｌ、４Ｒを屈曲部Ｐで屈曲して前側へ略９０度折り曲げ、また、起こし部８も屈曲部Ｐで屈曲して前側へ折り曲げ、位置設定手段１４の左右の被係止部６に係止部１３を係合して、背壁部３に対する左右各側壁部４Ｌ、４Ｒの位置を設定し、これによって平面視略コ字形状の構造体に形成し、その構造体にシート状のダミーＡを装着する。
平面視略コ字形状の構造体の支持体２は、前面及び上下面（少なくとも前面）が開放状態になっており、支持体２の上下から入ってくる光や内部からの光によっても、何物にも妨害されることなく照明される。支持体２の内部に光源を配置してもよく、支持体２を不透明な合成樹脂、金属等で形成してもよい。
【００２４】
以上のダミー装置１によれば、支持体２の前面を支持体取付面１５に対して所定角度で取付ける姿勢変更手段が設けられているので、支持体２を支持体取付面１５に装着するだけで、支持体２の前面の角度を変えることができ、これにより、例えば、ダミーを上向きにしたりすることができ、このダミーを見やすくすることができる。
図８は展示用ダミー装置１の第２実施形態を示しており、このダミー装置１は筒状ダミーを装着するものである。
【００２５】
このダミー装置１に装着される筒状ダミーＢは、上記シート状ダミーＡと同様に前面部分に販売商品のデザインを施したもので、フイルム又は紙等で角筒状に形成されておいる。
このダミー装置１は、支持体２の形状が略角筒状になっており、姿勢変更手段を構成する係合部１８が第１実施の形態と異なっている。
また、支持体２には、第１実施の形態のような係止部１０は形成されておらず、支持体２と略角筒状のダミーＢを上方から支持体２に覆い被すことで、角筒状のダミーＢを支持体２に装着することができる。このとき、角筒状のダミーＢは、左右各側壁部４Ｌ、４Ｒの下方に形成された突起部７ａに当接して、支持体２に保持されるようになっている。
【００２６】
なお、支持体２には、ダミーを係止する第１実施の形態のような係止部１０は設けられていないが、位置設定手段１４を構成する被係止部６（図示略）は設けられている。他の構成は、第１実施の形態と同様である。
係合部１８は、左右各側壁部４Ｌ、４Ｒに上下に複数形成（３個）されており、取付孔１７に対する係合部１８の上下係合位置を変えることによって、支持体取付面１５に対する支持体２の前面の角度がそれに伴って変化するようになっている。
【００２７】
上係合部１８ａは、取付孔１７にその上係合部１８ａを係合したとき、支持体２の背壁部３が支持体取付面１５に対して垂直よりやや後傾斜（後倒姿勢）となるように形成されており、この状態では、支持体２の前面は後倒姿勢となっている。
中係合部１８ｂは、取付孔１７にその中係合部１８ｂを係合したとき、支持体２の背壁部３が支持体取付面１５に対して略垂直となるように形成されており、この状態では、支持体２の前面は略垂直姿勢となっている。
【００２８】
下係合部１８ｃは、取付孔１７にその下係合部１８ｃを係合したとき、支持体２の背壁部３が支持体取付面１５に対して垂直よりやや前傾斜（前倒姿勢）にとなるように形成されており、この状態では、支持体２の前面は、前倒姿勢となっている。
したがって、この姿勢変更手段により、支持体２の前面は、後倒姿勢から前倒姿勢まで姿勢変更可能となっている。
なお、下係合部１８ｃは、その下係合部１８ｃを取付孔１７に係合したとき、支持体２の前面が略垂直状態になるように形成し、中係合部１８ｂは、その中係合部１８ｃを取付孔１７に係合したとき、支持体２の前面が垂直よりもやや後傾斜するように形成し、上係合部１８ａは、その上係合部１８ｃを取付孔１７に係合したとき、中係部１８ｂを係合したときよりも支持体２の前面が後傾斜するようにしてもよく、この各係合部１８によって支持体２の前面が垂直から段階的に（この場合は２段）後傾斜するようにしてもよい。
【００２９】
以上のことにより、支持体２の前面の角度（姿勢）を支持体取付面１５に対して変えることができ、筒状ダミーＢを見やすくすることが可能となる。
例えば、自動販売機等にこのダミー装置１を装着する場合、高い位置にある自動販売機のダミー装置１は、その支持体２の前面をやや前倒姿勢として低い位置からでもダミーを見えやすいようにしたり、低い位置にある自動販売機のダミー装置１は、その支持体２の前面を後倒姿勢として高い位置からでもダミーを見やすいようするという具合に、そのダミー装置１の展示の高さや商品大きさの形態等に合わせて、支持体２の前面の姿勢を変えることでダミーを見やすくすることが可能となる。
【００３０】
なお、本発明は前記実施の形態に限定されるものではなく、種々変形することができる。例えば、第１実施の形態のシート状ダミーＡを装着する支持体２の前面が、第２実施形態のように、前倒姿勢となるように第１実施形態の支持体２に対して係合部１８を上下に複数形成してもよいし、支持体２の前面が垂直から段階的に後倒姿勢になるように係合部１８を上下に複数形成してもよい。
【００３１】
【発明の効果】
以上詳述した本発明によれば、支持体を支持体取付面に取付けるだけで、支持体の前面の角度（姿勢）を変更することができ、これにより、支持体に装着したダミーを見やすくすることができる。
【図面の簡単な説明】
【図１】本発明の第１実施形態を示すシート状ダミー装着状態の全体斜視図である。
【図２】支持体の展開正面図である。
【図３】全体平面図である。
【図４】全体正面図である。
【図５】支持体の前面が後傾斜したときの前面全体側面図である。
【図６】支持体の前面が略垂直になるときの側面断面図である。
【図７】図５のＸ−Ｘ断面図である。
【図８】第２実施形態の全体斜視図である。
【符号の説明】
１        展示用ダミー装置
２        支持体
３        背壁部
４        側壁部
６        被係止部
８        切こし部
１０      係止部
１４      位置設定手段
Ａ        シート状ダミー
Ｐ        屈曲部
【図１】
2004272809.tif 000003
【図２】
2004272809.tif 000004
【図３】
2004272809.tif 000005
【図４】
2004272809.tif 000006
【図５】
2004272809.tif 000007
【図６】
2004272809.tif 000008
【図７】
2004272809.tif 000009
【図８】
2004272809.tif 000010